(57)【要約】【課題】加湿フィルタを収納保持する保持枠への伝動機構を構成する伝動ローラ及び駆動ローラの転接部に水垢が析出、堆積することを防止し、伝動阻害又は伝動不能の発生を未然に回避し得る加湿機を提供する。【解決手段】加湿フィルタを収納保持する保持枠30を回転駆動する伝動機構５の伝動歯車51を、保持枠30の外周のリングギヤ部32に噛合する第１のギヤ部 51aと、駆動ギヤに噛合する第２のギヤ部 51bとを同軸上に並設して構成し、両ギヤ部 51a,51bの間に、径方向外向きに張り出す鍔状の水切り部58を設け、第１のギヤ部 51aから第２のギヤ部 51bへの付着水の移行を、水切り部58によって遮断するように構成する。【選択図】図５
2011052878.tif 000002
【特許請求の範囲】
【請求項１】
加湿フィルタを収納保持する円盤形の保持枠の外周に転接する伝動ローラと、該伝動ローラに転接する駆動ローラとを有し、該駆動ローラの回転を前記伝動ローラを介して前記保持枠に伝え、該保持枠を中心周りに回転させる伝動機構を備え、水を含んで前記保持枠と共に回転する前記加湿フィルタに空気を通し、該加湿フィルタの下流側に気化水分を含む湿り空気を送り出すように構成された加湿機において、
前記伝動ローラは、前記保持枠の外周に転接する第１の転接部と、前記駆動ローラに転接する第２の転接部とを同軸上に並設して構成してあり、前記第１，第２の転接部の間に周設され、径方向外向きに張り出す水切り部を備えることを特徴とする加湿機。
【請求項２】
前記伝動ローラは、前記第１，第２の転接部の間に、これらよりも小径の小径部を有しており、前記水切り部は、前記小径部に周設してある請求項１に記載の加湿機。
【請求項３】
前記保持枠は、前記伝動ローラと、該伝動ローラと異なる位置の外周に転接する複数の支持ローラとにより支持してある請求項１又は請求項２に記載の加湿機。
【請求項４】
前記伝動ローラの第１の転接部は、外周に歯を形成してなる歯車であり、前記保持枠の外周に周設されたリングギヤ部に噛合させてある請求項１から請求項３のいずれか１つに記載の加湿機。
【発明の詳細な説明】
【技術分野】
【０００１】
本発明は、水を含んだ加湿フィルタに空気を通し、該加湿フィルタの下流側に導出される気化水分を含む湿り空気を外部に送り出すように構成された加湿機に関する。
【背景技術】
【０００２】
近年、健康指向の高まりに応じて、室内の空気に適正な湿度を与えるための加湿機が広く用いられている。特に、水の加熱蒸発を伴わずに加湿を可能とする気化式の加湿機（例えば、特許文献１参照）は、室内温度を変えずに湿度調節をなし得ることから、その普及が拡大している。
【０００３】
気化式の加湿機は、吸込口と吐出口とを結ぶ送風路の中途に、送風ファンと水を含んだ加湿フィルタとを配してなり、送風ファンの動作により吸込口を経て送風路内に導入される空気を加湿フィルタに通し、吐出口を経て室内に送り出すように構成されている。
【０００４】
加湿フィルタは、高い含水性を有すると共に通気が可能な材料（不織布等）製のシートであり、通気との接触面積を増すべく蛇腹状に折り重ね、円盤形の保持枠に収納保持してある。保持枠は、定量の水を貯留する水受け皿の上部に、該水受け皿中の貯留水の下部を浸漬した状態で支持され、外周に設けたリングギヤに噛合する伝動ギヤからの伝動により横軸周りに低速度で回転駆動されている。
【０００５】
保持枠は、送風路に臨む前面及び後面に通気用の開口を有しており、送風路内を流れる空気は、保持枠の前面の開口経て加湿フィルタと接触し、気化水分を含む湿り空気となって保持枠の後面の開口を経て送り出される。加湿フィルタは、保持枠と共に回転しつつ水受け皿中の貯留水を吸い上げ、気化に伴って失われる水分を補充するようになしてある。
【先行技術文献】
【特許文献】
【０００６】
【特許文献１】特開２００９−８５５１１号公報
【発明の概要】
【発明が解決しようとする課題】
【０００７】
以上の如く構成された加湿機において、保持枠の外周のリングギヤに噛合する伝動ギヤは、これに噛合する駆動ギヤを介してモータ等の回転駆動源に連結し、該回転駆動源の駆動により回転するように構成されている。一方、伝動ギヤに噛合するリングギヤは、保持枠の回転周上で前記水受け皿中の貯留水に浸漬されることから、この貯留水が歯面に付着した状態で回転して伝動ギヤに噛合する。
【０００８】
従って、前記伝動ギヤには、リングギヤの歯面に付着した水が移行し、更にこの水は、伝動ギヤに噛合する駆動ギヤにも移行することとなり、伝動ギヤと駆動ギヤとは、夫々の歯面に水が付着した状態で噛合する。この付着水は、加湿機の運転休止中に渇き、伝動ギヤと駆動ギヤとの噛合部に付着水中に含まれる硬度成分の結晶（水垢）を析出させ、次なる運転開始時に駆動ギヤから伝動ギヤへの伝動を阻害するという不具合を招来する。前記噛合部における水垢の析出は、運転休止の都度発生し、析出した水垢が噛合部に徐々に堆積することから、駆動ギヤから伝動ギヤへの伝動阻害が長期に亘る使用によって顕著となり、最終的に伝動不能を引き起こす虞れさえある。
【０００９】
このような伝動阻害又は伝動不能の発生は、駆動ギヤと伝動ギヤとの噛合部を清掃し、堆積した水垢を除去することにより回避し得るが、対象となる噛合部は、加湿機のハウジングの内部に位置し、使用者による清掃が難しいことから、伝動阻害の発生は避け難く、伝動阻害が発生した場合、加湿フィルタの含水量が不足して所望の加湿性能が得られなくなるという問題があり、また、噛合部での伝動音が増大し、使用者に無用な不安を与えるという問題がある。
【００１０】
保持枠への伝動機構は、前記伝動ギヤ及び駆動ギヤを備える歯車伝動機構に代えて、伝動ローラ及び駆動ローラを備え、これらの転接部間での摩擦を利用する摩擦伝動機構によって構成することもできるが、この構成においても、伝動ローラ及び駆動ローラの転接部に水垢が析出、堆積し、同様の伝動阻害が発生するという問題がある。
【００１１】
本発明は斯かる事情に鑑みてなされたものであり、加湿フィルタを収納保持する保持枠への伝動機構を構成する伝動ローラ及び駆動ローラの転接部に水垢が析出、堆積することを防止し、伝動阻害又は伝動不能の発生を未然に回避し得る加湿機を提供することを目的とする。
【課題を解決するための手段】
【００１２】
本発明に係る加湿機は、加湿フィルタを収納保持する円盤形の保持枠の外周に転接する伝動ローラと、該伝動ローラに転接する駆動ローラとを有し、該駆動ローラの回転を前記伝動ローラを介して前記保持枠に伝え、該保持枠を中心周りに回転させる伝動機構を備え、水を含んで前記保持枠と共に回転する前記加湿フィルタに空気を通し、該加湿フィルタの下流側に気化水分を含む湿り空気を送り出すように構成された加湿機において、前記伝動ローラは、前記保持枠の外周に転接する第１の転接部と、前記駆動ローラに転接する第２の転接部とを同軸上に並設して構成してあり、前記第１，第２の転接部の間に周設され、径方向外向きに張り出す水切り部を備えることを特徴とする。
【００１３】
本発明においては、保持枠に転接する第１の転接部と駆動ローラに転接する第２の転接部とを同軸上に並べて伝動ローラを構成し、第１，第２の転接部の間に水切り部を周設して、保持枠から移行して第１の転接部に付着する水を水切り部により遮断し、第２の転接部、及びこれに転接する駆動ローラへの付着水の移行を阻止し、両者の接触部に水垢が析出、堆積することを防止する。
【００１４】
また本発明に係る加湿機は、前記伝動ローラが、前記第１，第２の転接部の間に、これらよりも小径の小径部を有しており、前記水切り部が、前記小径部に周設してあることを特徴とする。
【００１５】
この発明においては、第１の転接部と第２の転接部とを、これらよりも小径の小径部により分離し、この小径部の作用により、第１の転接部から第２の転接部への付着水の移行を阻止し、更に小径部に周設された水切り部により確実に阻止する。
【００１６】
また本発明に係る加湿機は、前記保持枠が、前記伝動ローラと、該伝動ローラと異なる位置の外周に転接する複数の支持ローラとにより支持してあることを特徴とする。
【００１７】
この発明においては、加湿フィルタを収納保持する保持枠を、該保持枠の外周面に転接する複数のローラで支持し、保持枠の前後面の中央部に回転支持のために設けられる支軸を不要とし、該支軸が位置する保持枠の中央部及びその周辺を通気用の開口として有効利用し、加湿能力の向上を図る。
【００１８】
また本発明に係る加湿機は、前記伝動ローラの第１の転接部が、外周に歯を形成してなる歯車であり、前記保持枠の外周に周設されたリングギヤ部に噛合させてあることを特徴とする。
【００１９】
この発明においては、伝動ローラの第１の転接部を歯車とし、保持枠の外周に設けたリングギヤ部に噛合させて、滑りのない確実な伝動を実現する。なお、伝動ローラの第２の転接部及び駆動ローラも相互に噛合する歯車とし、駆動ローラから伝動ローラへの伝動を確実にするのが望ましい。
【発明の効果】
【００２０】
本発明に係る加湿機においては、伝動ローラの第１の転接部と第２の転接部との間に周設された水切り部が、保持枠との転接により第１の転接部に付着する水の第２の転接部へ移行を阻止するから、第２の転接部と駆動ローラとの接触部への水垢の析出、堆積を低減することができ、この水垢の作用による伝動阻害又は伝動不能の発生を防止し、加湿性能の低下、伝動音の増大等の不具合を招来することなく、長期に亘って安定した加湿性能を確保することが可能となる等、本発明は優れた効果を奏する。
【図面の簡単な説明】
【００２１】
【図１】本発明に係る加湿機の外観斜視図である。
【図２】本発明に係る加湿機の概略構成を示す側断面図である。
【図３】加湿フィルタユニットの支持構造を示す斜視図である。
【図４】加湿フィルタユニットの支持構造を示す一部破断正面図である。
【図５】伝動機構の構成を示す図４のＶ−Ｖ線による拡大断面図である。
【図６】図５のVIーVI線による伝動機構の平面図である。
【発明を実施するための形態】
【００２２】
以下本発明をその実施の形態を示す図面に基づいて詳述する。図１は、本発明に係る加湿機の外観斜視図、図２は、本発明に係る加湿機の概略構成を示す側断面図である。なお図２は、正面を右、背面を左として示してあり、図１は、背面側（図２の右側）から見た斜視図である。以下の説明では、正面側を前とし、背面側を後とする。
【００２３】
本発明に係る加湿機は、矩形箱形のハウジング１の内部に、送風ファン２、加湿フィルタユニット３及び水受け皿４を備えている。図２に示すようにハウジング１の内部は、隔壁11により後側の吸込室12と前側の吐出室13とに分割されている。吸込室12は、ハウジング１の後面パネル14に開設された多数の吸込口15，15…を介して外部に連通し、また吐出室13は、ハウジング１の天板に開設された吐出口16を介して外部に連通しており、吸込室12と吐出室13とは、隔壁11の下部に設けた開口 11aを経て相互に連通されている。
【００２４】
図１に示すように、後面パネル14は着脱可能であり、該後面パネル14の前側には、脱臭フィルタ17及び集塵フィルタ18が積層配置してある。脱臭フィルタ17は、例えば、不織布に活性炭を分散保持させてなり、通気中の臭い成分を吸着して除去する作用をなす。集塵フィルタ18は、例えば、公知のＨＥＰＡ（High Efficiency Particulate Air ）フィルタであり、通気中に含まれる微細な塵埃を捕集して除去する作用をなす。脱臭フィルタ17及び集塵フィルタ18は、合成樹脂製の矩形の枠体 17a,18aに各別に一体化され、後面パネル14の前側に設けたフィルタ室に嵌め込まれている。
【００２５】
送風ファン２は、羽根車20と、該羽根車20を駆動するファンモータ21とを備えている。ファンモータ21は、吐出室13の外部に固定されており、羽根車20は、吐出室13の内に突出するファンモータ21の出力端に固定され、隔壁11下部の開口 11aに対向配置してある。送風ファン２の羽根車20は、ファンモータ21の駆動により回転する。羽根車20が回転した場合、図１中に白抜矢符にて示すように、後面パネル14の吸込口15，15…を経て吸込室12の内部に外気が導入され、該吸込室12の内部を前方向に流れて隔壁11下部の開口 11aを経て羽根車20に吸い込まれ、上向きに方向を変えて吐出室13の内部に導出されて吐出口16を経て外部に送り出される。
【００２６】
このようにハウジング１の内部の吸込室12及び吐出室13は、送風ファン２の動作に応じて前述した空気の流れを発生する送風路を構成する。脱臭フィルタ17及び集塵フィルタ18は、以上の如き送風路の上流側に位置しており、吸込口15，15…を経て吸込室12に導入される外気は、脱臭フィルタ17の通過により臭い成分を除去され、集塵フィルタ18の通過により塵埃を除去された清浄な空気となって、吐出室13の末端の吐出口16を経て送り出される。図示の加湿機は、脱臭フィルタ17及び集塵フィルタ18の配置により空気清浄機としても機能する。
【００２７】
加湿フィルタユニット３及び水受け皿４は、以上のように送風路の内部を流れる空気を加湿すべく、集塵フィルタ18と送風ファン２との間に配置してある。
【００２８】
水受け皿４は、ハウジング１の底板上に載置され、集塵フィルタ18の前側の吸込室12の内部に配してある。図１に示すように水受け皿４は、該水受け皿４上に後述のように支持される加湿フィルタユニット３と共に、ハウジング１の一側面から外部に引き出すことが可能である。水受け皿４の引き出し側の端部には、広幅のタンク受け40が連設してあり、該タンク受け40には、給水タンク41が着脱されるようになしてある。
【００２９】
給水タンク41は、一側の端部に給水栓42を有する直方体のタンクであり、前記給水栓42の側を下向きとした倒立姿勢にてタンク受け40に装着される。給水栓42は、公知の定水位弁を内蔵している。この定水位弁は、タンク受け40への給水タンク41の装着時に、該タンク受け40の該当位置に立設した押し上げ突起43（図３参照）に押し上げられて開放状態となり、給水タンク41内の収容水を水受け皿４に応じて送り出し、該水受け皿４の内部に一定水位の水を貯留させるように作用する。
【００３０】
加湿フィルタユニット３は、中空の円盤形をなす保持枠30の内部に加湿フィルタ31を収納保持して構成されている。加湿フィルタ31は、不織布等、高い含水性を有すると共に通気が可能な材料製のシートであり、後述するように流れる通気との接触面積を増すべく、図２に示すように、蛇腹状に折り重ねて前記保持枠30に収納されている。
【００３１】
図３は、加湿フィルタユニット３の支持構造を示す斜視図、図４は、同じく一部破断正面図であり、水受け皿４の一部を破断して示してある。なお図３、図４中には、加湿フィルタユニット３の保持枠30のみを図示し、該保持枠30の内部の加湿フィルタ31の図示は省略してある。
【００３２】
図３、図４に示すように加湿フィルタユニット３の下部は、水受け皿４の内部に差し込まれ、図４に示すように、水受け皿４の内部に設けた２つの支持ローラ６，６の上に載置支持されている。支持ローラ６，６は、水受け皿４の底面上で長手方向の両側に振り分け配置され、夫々の位置で保持枠30の下部外周面に転接している。
【００３３】
従って、加湿フィルタユニット３は、保持枠30の下部を水受け皿４の内部に差し込み、支持ローラ６，６の上に載置することにより、図３に示すように、水受け皿４の上で垂直に立ち上がる姿勢で支持され、この支持姿勢を保って、支持ローラ６，６の転動により中心周りに回転することができる。このように支持された加湿フィルタユニット３は、図１に示すように、ハウジング１の一側面から水受け皿４と共に外部に引き出すことができ、また逆に、水受け皿４と共にハウジング１内に押し込み、該ハウジング１の内部の所定位置にセットすることができる。
【００３４】
保持枠30の外周面には、図３に示すように、幅方向の中央部に全周に亘って歯が形成された適宜幅のリングギヤ部32が一体に設けてある。リングギヤ部32は、図２、図４に示すように、保持枠30の上位置に配した伝動機構５の伝動ギヤ51に後述のように噛合されている。伝動機構５は、基台50の一面に取り付けた伝動ギヤ51及び駆動ギヤ52と、基台50の他面に取り付けた駆動モータ53を備え、基台50を貫通する複数本の固定ねじ54，54…によりハウジング１の内部の隔壁11の適宜位置に固定されている。駆動ギヤ52は、駆動モータ53の出力軸59（図６参照）に一体回転可能に嵌着されており、駆動モータ53の回転は、後述のように、駆動ギヤ52を介して伝動ギヤ51に伝わり、該伝動ギヤ51が回転するように構成されている。
【００３５】
伝動機構５の伝動ギヤ51と保持枠30のリングギヤ部32との噛合は、加湿フィルタユニット３がハウジング１の内部に前述の如くセットされた状態で生じ、この噛合により加湿フィルタユニット３は、水受け皿４の内部の２つの支持ローラ６，６と、伝動機構５の伝動ギヤ51とにより、周方向の異なる位置で３点支持されることとなる。
【００３６】
このように支持される加湿フィルタユニット３は、図２に示すように、吸込室12の内部において集塵フィルタ18の前側及び送風ファン２の後側に対向するように位置し、駆動モータ53を駆動した場合、駆動ギヤ52の回転が、伝動ギヤ51及びリングギヤ部32を介して保持枠30に伝わり、加湿フィルタユニット３は、図２に示す位置を保って保持枠30の中心周りに回転する。
【００３７】
本発明に係る加湿機の特徴は、伝動ギヤ51及び駆動ギヤ52を備え、加湿フィルタユニット３を回転駆動する伝動機構５の構成にある。図５は、伝動機構５の構成を示す図４のＶ−Ｖ線による拡大断面図、図６は、図５のVIーVI線による伝動機構の平面図である。
【００３８】
伝動ギヤ51は、同軸上に並設された第１のギヤ部 51a（第１の転接部に相当する）と第２のギヤ部 51b（第２の転接部に相当する）とを備えている。図５に示すように、第１のギヤ部 51aと第２のギヤ部 51bとは、夫々の一側に円筒形をなす各別の小径部 51c,51dを連設してなる別部材であり、図５に示すように、第２のギヤ部 51bの小径部 51dを第１のギヤ部 51aの小径部 51cに内嵌して一体化されている。
【００３９】
図５に示すように基台50の一面には、円形断面の支え突起56が突設され、該支え突起56の軸心部に支軸55が突設されている。前述のように構成された伝動ギヤ51は、第２のギヤ部 51bの小径部 51dを支軸55に外嵌し、該小径部 51dの両端を、支え突起56の端面と支軸55の先端に固定した押え板57との間に緩く挾持して、支軸55を中心として回転可能に取付けてある。なお、第２のギヤ部 51bの小径部 51dは、支え突起56の端面に突設された複数の小突起に当接しており、伝動ギヤ51の回転が、前記小突起との接触抵抗下にて滑らかに生じるように構成してある。
【００４０】
第１のギヤ部 51aに連設された小径部 51cは、第２のギヤ部 51bに向けて延びる先端部に水切り部58を備えている。水切り部58は、小径部 51cの全周に亘って、径方向外向きに張り出すように設けられた鍔状の部分であり、第１のギヤ部 51aと第２のギヤ部 51bとの間に、夫々に対して適長離隔して配してある。
【００４１】
図６に示すように、基台50の他面には、伝動ギヤ51の取付け位置から適長離隔して駆動モータ53が取付けてある。駆動モータ53の出力軸59は、基台50の一面に突出している。駆動ギヤ52は、出力軸59の突出端に嵌着固定され、伝動ギヤ51の第２のギヤ部 51bに噛合させてある。一方、伝動ギヤ51の第２のギヤ部 51bは、図５に示すように、保持枠30の外周に周設されたリングギヤ部32に噛合させてある。
【００４２】
以上の如く構成された加湿機において、駆動機構５の駆動モータ53が駆動されることにより、該駆動モータ53の出力軸59に嵌着された駆動ギヤ52が回転し、この回転が、駆動ギヤ52に噛合する伝動ギヤ51の第２のギヤ部 51bに伝わり、該第２のギヤ部 51bが、これと一体化された第１のギヤ部 51aと共に回転し、第１のギヤ部 51aの回転が、これに噛合するリングギヤ部32を介して加湿フィルタユニット３の保持枠30に伝わり、該保持枠30が回転する。
【００４３】
水受け皿４の内部には、前述の如く、一定量の水が貯留されており、回転する保持枠30の下部は、水受け皿４の貯留水中に浸漬される。図３、図４に示すように保持枠31は、両面に開口を有しており、水受け皿４の貯留水は、保持枠30の内部に収納保持された加湿フィルタ31に両面の開口を経て吸い上げられ、該保持枠30の回転により持ち上げられて、加湿フィルタ31の全体に行き渡る。このような保持枠30の内部には、送風ファン２の動作により吸込室12及び吐出室13内を流れる空気が一面の開口を経て導入され、保持枠30に収納保持された加湿フィルタ31に接触して気化水分を含む湿り空気となり、他面の開口を経て送り出される。
【００４４】
加湿フィルタユニット３の保持枠30は、外周に転接する２つの支持ローラ６，６と、駆動機構５の伝動ギヤ51とにより支持されており、夫々の中心部に回転支持のための支軸を設ける必要がなく、図２、図３に示すように、内部の加湿フィルタ31を支えるための最小限の支え部を除く全面に開口を設けることができる。従って、保持枠30の内部には、前後で阻害されることなく多くの空気が通り、加湿フィルタ31と通気との接触を良好に行わせて、加湿性能の向上を図ることができる。
【００４５】
水受け皿４の内部の貯留水は、保持枠30の外周に設けたリングギヤ部32の歯面にも付着し、この付着水は、リングギヤ部32に噛合する伝動ギヤ51の第１のギヤ部 51aにも移行する。本発明の加湿機において、前記伝動ギヤ51は、第１のギヤ部 51aに並設された第２のギヤ部 51bを備えており、両ギヤ部 51a,51bの間には、夫々に連設された小径部 51c,51dが設けてあり、更に、小径部 51cには、径方向外向きに張り出す鍔状の水切り部58が設けてある。
【００４６】
前述のように、リングギヤ部32から移行して第１のギヤ部 51aに付着する水は、該第１のギヤ部 51aの歯面に拡がるが、付着水の拡がりは、小径部 51cとの間の段差により抑制される上、小径部 51cに設けられた水切り部58により確実に遮断される。従って、第１のギヤ部 51aの付着水は、第２のギヤ部 51bに移行せず、該第２のギヤ部 51bと駆動歯車との噛合部に水が付着し、水垢が析出、堆積する虞れは殆どなく、この水垢の作用による伝動阻害又は伝動不能の発生を未然に防止し、加湿性能の低下、伝動音の増大等の不具合の発生を抑え、長期に亘って安定した加湿運転を継続することができる。
【００４７】
第１のギヤ部 51aと第２のギヤ部 51bとの間の小径部 51c,51dは、必ずしも必要ではないが、これらも付着水の伝わりを抑制する作用をなすから、水切り部58は、実施の形態に示すように、小径部 51c（又は 51d）の中途に設けるのが好ましい。また水切り部58は、第１のギヤ部 51aと第２のギヤ部 51bとの間の適宜の位置に設けることができるが、実施の形態に示すように、第１，第２のギヤ部 51a,51bの中間位置に、両ギヤ部 51a, 51b から離れた位置に設けるのが望ましい。
【００４８】
なお、保持枠30への伝動機構５は、伝動ギヤ51及び駆動ギヤ52を備える歯車伝動機構に限らず、伝動ローラ及び駆動ローラを備え、これらの転接部間での摩擦を利用する摩擦伝動機構によって構成することもできるが、この構成においても、伝動ローラを保持枠の外周に転接する第１の転接部と、駆動ローラに転接する第２の転接部とを同軸上に並設して構成し、第１，第２の転接部の間に水切り部を設けることにより同様の作用効果が得られることは言うまでもない。
【符号の説明】
【００４９】
５  伝動機構
６  支持ローラ
30  保持枠
31  加湿フィルタ
32  リングギヤ部
51  伝動ギヤ（伝動ローラ）
51a 第１のギヤ部（第１の転接部）
51b 第２のギヤ部（第２の転接部）
51c 小径部
51d 小径部
52  駆動ギヤ（駆動ローラ）
58  水切り部
【図１】
2011052878.tif 000003
【図２】
2011052878.tif 000004
【図３】
2011052878.tif 000005
【図４】
2011052878.tif 000006
【図５】
2011052878.tif 000007
【図６】
2011052878.tif 000008